(57)【特許請求の範囲】
【請求項１】
自動車用ワイヤハーネスを結束するとともにこれに貼付するための結束テープであって、車体からワイヤハーネスが取外される位置がマーク及び／又は文字により表示してなることを特徴とするワイヤハーネス貼付用表示体。
【請求項２】
自動車用ワイヤハーネスに貼付するためのテープであって、ワイヤハーネスが取外される位置がマーク及び／又は文字により表示してなることを特徴とするワイヤハーネス貼付用表示体。
【請求項３】
自動車用ワイヤーハーネスに取付けるための絵符であって、ワイヤーハーネスが取外される位置をマーク及び／又は文字により表示してなることを特徴とするワイヤーハーネス取付け用表示体。
【請求項４】
自動車用ワイヤーハーネスと接続した電気接続箱の、車体への取付け部に貼付ないし取付けるためのテープ又は絵符であって、該電気接続箱が車体から取外される位置をマーク及び／又は文字により表示してなることを特徴とする電気接続箱貼付ないし取付け用表示体。
【請求項５】
耐水性、耐油性及び耐候性を有することを特徴とする請求項１〜４のいずれかに記載の表示体。
【請求項６】
請求項１〜３のいずれかに記載の表示体が、解体作業時におけるワイヤハーネスの取外し位置に貼付ないし取付けられていることを特徴とするワイヤハーネス。
【請求項７】
請求項４に記載の表示体が、解体作業時における電気接続箱の取外し位置に貼付ないし取付けられていることを特徴とする電気接続箱。
【発明の詳細な説明】
【０００１】
【発明の属する技術分野】
本発明は、ワイヤハーネス貼付ないし取付け用表示体、それを付したワイヤハーネス及び電気接続箱、更には該ワイヤハーネス及び電気接続箱の取外し方法に関し、特にワイヤハーネスを廃棄車両から取外す作業がスムーズに行えるようにする技術に関するものである。
【０００２】
【従来の技術】
近年、環境問題の認識が高まり、資源の有効なリサイクルが大きな課題となっている。このような課題は、廃棄処分された自動車についても例外ではない。特に、近時の電子化された自動車が使用しているワイヤハーネスの量は膨大であり、これを無視できないのが現状である。
【０００３】
従来、廃棄車両からワイヤハーネスを取外す作業は、ワイヤハーネスの適当な位置にクレーン等の引上装置のフックを引っ掛けて、機械力により引っ張り、取外す工程からなっていた。
【０００４】
ところが、ワイヤハーネスにフックを引っ掛ける位置は、作業者が適当に定める場合が多く、その位置が適切な位置でないときには、フックが横滑りをしたり、ワイヤハーネスが途中で破断したりして、思わぬケガを負ったり、ワイヤハーネスが効率的に取外せない（バラバラに分断してしまう等）ことがあり、その回収率、作業性に問題があった。
【０００５】
【発明が解決しようとする課題】
本発明は、かかる従来技術の不具合を解消するためになされたもので、廃棄車両の解体時にワイヤハーネスをスムーズにかつ効率よく車体から取外して回収することを可能とするワイヤハーネス貼付ないし取付け用表示体及びそれを貼付ないし取付けたワイヤハーネスを提供することをその課題とする。
また、本発明はワイヤーハーネスと接続した電気接続箱をスムーズにかつ効率よく車体から取外して回収することを可能とする電気接続箱貼付け用表示体、及びこの表示体を取付けないし貼付した電気接続箱を提供することを別の課題とする。
【０００６】
【課題を解決するための手段】
本発明によれば、上記課題は下記の技術的手段の採用により解決される。
（１）自動車用ワイヤハーネスを結束するとともにこれに貼付するための結束テープであって、車体からワイヤハーネスが取外される位置がマーク及び／又は文字により表示してなることを特徴とするワイヤハーネス貼付用表示体。
（２）自動車用ワイヤハーネスに貼付するためのテープであって、ワイヤハーネスが取外される位置がマーク及び／又は文字により表示してなることを特徴とするワイヤハーネス貼付用表示体。
（３）自動車用ワイヤーハーネスに取付けるための絵符であって、ワイヤーハーネスが取外される位置をマーク及び／又は文字により表示してなることを特徴とするワイヤーハーネス取付け用表示体。
（４）自動車用ワイヤーハーネスと接続した電気接続箱の、車体への取付け部に貼付ないし取付けるためのテープ又は絵符であって、該電気接続箱が斜体から取外される位置をマーク及び／又は文字により表示してなることを特徴とする電気接続箱貼付ないし取付け用表示体。
（５）耐水性、耐油性及び耐候性を有することを特徴とする前記（１）〜（４）のいずれかに記載の表示体。
（６）前記（１）〜（３）のいずれかに記載の表示体が、解体作業時におけるワイヤハーネスの取外し位置に貼付ないし取付けられていることを特徴とするワイヤハーネス。
（７）前記（４）に記載の表示体が、解体作業時における電気接続はこの取外し位置に張付けないし取付けられていることを特徴とする電気接続箱。
【０００７】
【発明の実施の形態】
以下、本発明の実施の形態を好ましい実施例により説明する。
まず、本発明の第１実施例に係るワイヤーハーネスの結束としても使用される表示体の例を図１に示す。
この表示体は結束用テープ１１ａであり、これには「フック」マークが表示されており、解体作業時に、クレーン等の引上装置のフックを用いてワイヤハーネス１を取外す方法を示したものである。この結束用テープ１１ａを、ワイヤハーネス１のフック引っ掛け位置に貼付することにより、この結束用テープ１１ａは、解体作業時におけるワイヤハーネス１の取外し位置を表すことにもなる。
また、結束用テープの表示は、「フック」マークの代りに「ハサミ」マークであってもよく、これは解体作業時に、ワイヤハーネスをハサミで切断して取外す方法を示したものである。この結束テープを、ワイヤハーネスのハサミ切断位置に貼付することにより、この結束テープは、解体作業時におけるワイヤハーネスの取外し位置を表すことにもなる。
表示部分としては「フック」マーク、「ハサミ」マークの２例を挙げたが、マークは上記以外に、取外し方法に応じた適宜のマーク（例えば「カッター」マーク、図案化ローマ字など）とすることができる。
また、上記結束用テープ１１ａでは、マークにより取外し方法、取外し位置を表すようにしたが、マークに代えて、あるいはマークとともに、文字により取外し方法、取外し位置を表すようにしてもよい。また、マークや文字等には色をつけて、見易くすることが好ましい。
【０００８】
また、ワイヤハーネス１を構成する電線の束を二股に分けて車体解体作業時に引上装置のフックを引っ掛けるためのスリット部を形成し、このスリット部の両側に本発明の結束テープ１１ａを巻装するようにしてもよい。
【０００９】
上記結束用テープは、複数本のワイヤーを結束しており、またそのワイヤハーネスは車両に配索するため、その結束用テープ本体は丈夫な樹脂シートから作られていることが好ましく、特に耐水性、耐油性、耐光性に優れる材料が好ましい。このような樹脂材料としては、従来から使用されている材料の他にも、リサイクル性、環境に優しい材料として、基材にプラスチックを使用していない粘着テープ、生分解性プラスチックを用いたテープ、紙テープなども用いることができる。
また、結束用テープ表面に表示するマーク及び／又は文字は、長期にわたり保存性の良いインク材料等を用いて形成することが好ましい。
また、結束用テープの裏面は必ずしも粘着剤層が設けられている必要はないが、コルゲートチューブ等にも貼付できること、作業性の点等から粘着剤層が設けられたシール状のものであることが好ましい。
また、結束用テープの幅や長さは、貼付対象となる束ねられるワイヤの本数やワイヤハーネスや電気接続箱の車体への取付け部の大きさに応じて適宜の寸法のものとすることができる。さらに、ラベルの形状は、正方形、長方形、多角形、円形、楕円形等、任意の形状とすることができる。
【００１０】
次に、本発明の第２実施例に係る表示体の例を図２に示す。
この表示体は電線を束ねることのないテープ１１ｂであり、このテープの表面には前記の結束テープと同様なマークが画かれており、裏面には必要に応じて粘着剤層が設けられているものが好ましい。また、このテープ１１ｂ本体の材料も前記の結束テープ１１ａ本体の材料と同様なものが用いられる。このテープ１１ｂのワイヤハーネス１１又は電気接続箱２への貼付位置は前記の結束テープ１１ａの貼付位置の例と同様である。
【００１１】
次に、本発明の第３実施例に係る表示体の例を図３に示す。この表示体は絵符１１ｃであり、少なくとも表面に前記の結束テープ１１ａと同様なマークが描かれており、紐１３でワイヤハーネス１又は電気接続箱の車体への取付け部に取付けられている。このエフの大きさは、取付けられるワイヤハーネス又は電気接続箱の車体への取付け部の大きさに応じて適宜の寸法のものとすることができる。絵符の形状は正方形、長方形、多角形、円形、楕円形等、任意の形状とすることができる。また、絵符１１ｃ本体の材料は前記の結束テープ本体１１ａの材料と同様なものが用いられる。この絵符１１ｃのワイヤハーネス又は電気接続箱への取付位置は前記の結束テープの貼付け位置と同様である。
【００１２】
本発明によるワイヤハーネスに貼付ないし取付けられる表示体の位置は、図１（ｂ）に示したところでも、直接クレーンフックのフック引っ掛け位置でもよく、また、ワイヤハーネスと接続した電気接続箱への取付け位置は、電気接続箱の取付用足のところが一般的である。このようにすると、一目でワイヤハーネスの取外し位置（クレーンフックの引っ掛け位置）が認識できるので、車体からワイヤハーネスを効率よく取外すことができる。
【００１３】
【発明の効果】
以上詳細に説明したように、本発明によれば、一目でワイヤハーネス又は電気接続箱の取外し位置、あるいは取外し方法、あるいはその両者が認識できるので、ワイヤハーネス又は電気接続箱を効率よく取外すことが可能となる。従って、解体時間が短縮されるため解体コストを低減できる。
また、本発明の表示体は、薄く丈夫な材料で作ることにより、車両において表示体が貼付ないし取付けられたワイヤハーネス又は電気接続箱を長期使用しても、水分や油分等が付着しても破れることがなく、また、保存性に優れたインク等の記録材料で表示を記載すれば、表示が見えにくくなることがない。
さらに、本発明の表示体は、ワイヤハーネス又は電気接続箱の取外しを目的で設けられている他の部材に比べ、スペースを必要としないため、車両の組み付け性に支障をきたすことがない。
【図面の簡単な説明】
【図１】本発明による第１実施例の表示体がワイヤハーネスに貼付られる様子を示す図である。
【図２】本発明による第２実施例の表示体がワイヤハーネスに貼付されている様子を示す図である。
【図３】本発明による第３実施例の表示体がワイヤハーネスに取付けられている様子を示す図である。
【図４】本発明の表示体が電気接続箱の本体への取付け部に付されている状態を示す図である。
【図５】本発明の表示体の表面に描かれたマークの図である。
【符号の説明】
１ ワイヤハーネス
２ 電気接続箱
１１ 表示体
１１ａ 結束テープ
１１ｂ テープ
１１ｃ 絵符
【図１】
0003973909.tif 000002
【図２】
0003973909.tif 000003
【図３】
0003973909.tif 000004
【図４】
0003973909.tif 000005
【図５】
0003973909.tif 000006